(57)【要約】【課題】レンジフードファンの整流板の着脱が容易、かつ安全に行えるようにする。また、整流板の表面から取付用のねじやつまみなどの突出物を無くし、気流の流れを円滑にして吸込効率の改善をはかると共に、油分が溜まって滴下することを防止し、衛生面での向上をはかる。【解決手段】フード２の内部に、フレームと、このフレームに回動可能に取り付けられた回動部材７と、この回動部材７を回動付勢するばねとを具備した係止具６を取り付けた。一方、整流板４は、その前端上側に折返し端縁４ａが形成されるように金属板を屈曲して形成し、この折返し端縁４ａが上記回動部材８に設けられた切欠部８ｂと係合することにより、整流板４がフード２内の所定位置に係止保持されるようにした。また、回動部材４には、操作用の操作レバー４ａを、整流板４の前面の上側に位置するように設けた。【選択図】図２
2005155957.tif 000002
【特許請求の範囲】
【請求項１】
送風機を備えたフードの吸込部上流側に、吸込部の周辺風速を上昇させる整流板を配置したレンジフードファンにおいて、
フードの内部に、整流板の係止具が取り付けられ、
この係止具は、
フレームと、
該フレームに枢着され、下端前方に切欠部が設けられると共に、この切欠部の上方に操作レバーが前向きに突設された回動部材と、
該回動部材の下端を前方突出方向に付勢するばねと、
を具備したものであり、
金属板を屈曲して形成され、後端がフード側に枢支された整流板の前端上側に形成された折返し端縁が、上記係止具の切欠部と係合することにより、整流板がフード内の所定位置に係止保持されるようになされたことを特徴とするレンジフードファン。
【発明の詳細な説明】
【技術分野】
【０００１】
本発明は、フードの吸込部の上流側に整流板が配置されたレンジフードファンに関し、詳しくは、整流板の表面から油滴や塵埃が付着するおそれのある突出物を無くし、しかもこの整流板の着脱が容易かつ安全に行えるようにしたレンジフードファンに関する。
【背景技術】
【０００２】
図４と図５は、レンジフードファンの従来例を示しており、図４は、整流板を開放した状態の斜視図、図５は、整流板を取り付けた使用状態の斜視図である。
【０００３】
図示したように、一般にレンジフードファン１０では、調理で発生した燃焼ガスや油煙を効率良く捕集するために、フィルター１３が設けられたフード１１の下面の開放部１１ａに整流板１４を設けている。この整流板１４は、フード１１の下端内周との間で吸い込み側の間隙を狭め、このことで、吸い込み風速を上昇させて、燃焼ガスや油煙がフードの外側に漏れるのを少なくするように作用するものである。
【０００４】
ここにおいて、従来、整流板１４をフード１１の下面の開放部１１ａに取り付けるには、図４に示すように、フードカバー１２の下面に整流板取付脚１５を設け、この取付脚１５の先端（図４において下端側）に設けられたねじ部１５ａを、整流板１４を貫通させた上で、ここに図５に示したように化粧ナット１６を締め付けることにより行うようにしていた。（例えば、特許文献１参照）。
【０００５】
また、この他に整流板の背面に設けられたブラケットで回動可能に軸を支持し、この軸の両端に、先端かぎ形のフックを取り付けると共に、軸の中程に、前記整流板を貫通してその下方に突出するようにレバーを取り付け、このレバーの操作により、前記フックを回動させて、その先端をフードの内壁に設けられたスリット状の係合孔と係脱させ、このことで後端で枢支された整流板を、フードの下面の開放部に取り付けるようにしたものもあった。（例えば、特許文献２参照）。
【特許文献１】特開平１１−２５７７０２号公報（第３−６頁、第８図）
【特許文献２】特開平５−３２２２５３号公報（第２−３頁、第１図）
【発明の開示】
【発明が解決しようとする課題】
【０００６】
上述した従来のレンジフードファンのうち、前者のねじとナットの螺合により整流板を固定するようにしたものは、ナットの着脱操作が煩わしく、また、多くの場合、ナットの表面に油煙中の油分が付着しているため、不快で、かつ、すべり易く、一層、この操作を困難なものとしていた。さらに、多くのものは整流板の仮止め機構を備えていないので、ナットを着脱する際、整流板を片手で支えていなくてはならず、この面からも操作が行い難く、そればかりか、着脱の際、ナットを脱落させたり、紛失してしまうおそれさえあるという問題点を有していた。
【０００７】
また、後者の回動可能なフックを用いて整流板を、係止保持するようにしたものは、レバーの押動操作のみで、フックを係合孔と係脱させることができるので、操作性が良く、上記のような問題点は有しないが、レバーを操作可能に整流板の下方に突出させるために、整流板にスリット状の開口を設けなくてはならず、この開口により空気流に乱れを生じて、整流板の機能が低下するおそれがあった。また、レバーが整流板の下方に突出しているため、清掃の際、レバーを引っ掛けて整流板を脱落させるおそれがあり、さらに捕集された油煙中の油分がレバーの近傍に溜まり易く、場合によっては、油分がレバーを伝って滴下するおそれがあるという問題点も有していた。
【０００８】
本発明は、上記従来のレンジフードファンが有していた問題点の解決を課題とする。
【課題を解決するための手段】
【０００９】
本発明では、上記の問題点を解決するために、送風機を備えたフードの吸込部上流側に、吸込部の周辺風速を上昇させる整流板を配置したレンジフードファンにおいて、フードの内部に、フレームと、該フレームに枢着され、下端前方に切欠部が設けられると共に、この切欠部の上方に操作レバーが前向きに突設された回動部材と、該回動部材の下端を前方突出方向に付勢するばねとを具備してなる整流板の係止具を取り付け、金属板を屈曲して形成され、後端がフード側に枢支された整流板の前端上側に形成された折返し端縁が、上記係止具の切欠部と係合することにより、整流板がフード内の所定位置に係止保持されるようにしたことを特徴とする。
【発明の効果】
【００１０】
上述したように本発明のレンジフードでは、整流板がその前端に一体形成された折返し片で係止保持されるようになっているので、整流板の表面には、その取付用のつまみやナットなどの突出物が一切、設けられていない。よって、空気流に乱れが生じず、油煙などの高い捕集効果が得られると共に、清掃もやり易くなる。また、油煙中に含まれる油分が突出物に付着して、汚れ易くなったり、油分が突出物を伝って滴下するおそれもなくなり、衛生面での向上もはかられるという効果がある。
【００１１】
さらに、係止具による整流板の係止状態の解除が、整流板を押えた状態で指を押し上げるだけでなされ、また、整流板を係止させるには、後端が枢支された整流板の前端を押し上げるだけでなされるので、その係脱操作が容易で、かつ安全、迅速に行えるという効果もある。
【発明を実施するための最良の形態】
【００１２】
以下、本発明を図示した実施の形態に基づき詳細に説明する。
【００１３】
図１は、本発明に係るレンジフードファンの実施形態を示した簡略斜視図、図２は、その要部の拡大断面図である。図示したように、このレンジフードファン１は、従来のものと同様に、下面が開放されたフード２内にフィルター５を着脱可能に取り付け、このフィルター５の上側の本体３の内部に送風機（図示せず）を配置し、台所のレンジなどの上方空間に設置されることにのより、フード２の下側を吸込部２ａとして、ここから油煙や燃焼ガスなどの屋内の汚れた空気を吸引し、屋外に排出するようにしたものである。
【００１４】
ここにおいて本発明のレンジフードファン１では、フィルター５の前側（図２において左側）のフード２内の左右両側に、対をなすように係止具６を取り付けている。
【００１５】
この係止具６は、図３に示すようにフード２内に、上部がねじ止めなどの手段で固定されることにより、下方突出状に取り付けられるフレーム７と、このフレーム７の前側（図３において左側）の中程に、上端が枢軸８ｄにより枢着され、下端前方（図３において左側）に切欠部８ｂが設けられると共に、この切欠部８ｂの上側に操作レバー８ａが前向き（図３において左向き）に突設された回動部材８と、この回動部材８とフレーム７の後壁７ａとの間に、該回動部材８の下端を前方に突出方向に付勢するように設けられたキックばね９とで構成されている。
【００１６】
ここにおいて、上記フレーム７は、回動部材８やキックばね９を抱持するように、金属板を略コ字形に屈曲して形成されており、その下端前側（図３において下端左側）には、回動部材８の下端に突設された突部８ｃと当接することにより、回動部材８の前側への回動範囲を規制する係止片７ｂが内方突出状に屈曲形成されている。
【００１７】
また、フード２の内部後側（図１において右側）には、掛支金具１８が設けられ、この掛支金具１８に整流板４の後端に設けられた掛支ピン４ｂを引っ掛けることにより、整流板４が着脱かつ回動可能にこの掛支金具１８に取り付けられるようになっている。
【００１８】
整流板４は、金属板をプレス成形することにより、上面が開放されたトレイ（浅皿）状に形成されたものであり、前部上側には、前面板４ｃの上端を内方に折り返して形成された折返し端縁４ａが設けられている。そして、この整流板４は、その外寸がフード２下面の開放部分の内寸よりもやや小さく設定されており、フード２内に取り付けられることにより、その周囲とフード２との間に、吸い込み時の風速を上昇させる吸込間隙を形成するようになっている。
【００１９】
本発明のレンジフード１は、上記の構成を有している。
【００２０】
なお、図２において、符号１９は、照明装置の蛍光灯を示し、１７は、この照明装置や内装されたファン（図示せず）などを操作するための操作ボタンを示している。
【００２１】
次に、本発明の特徴とする点について述べると、まず、レンジフード１の通常の使用時は、図２に示すように、整流板４がフード２の吸込部２ａの上流、即ち、下側に配置され、フード２の周縁との間の間隙を狭めて、その間を通過する空気の流速を上昇させるように機能している。この時、後端が掛支金具１８で枢支された整流板４は、その前側に設けられた折返し端縁４ａが係止具６の回動部材８に設けられた切欠部８ｂに引っ掛かって脱落不可に係止保持されている。なお、この時、回動部材８は、その下端が前方に突出する方向にキックばね９で付勢されているので、切欠部８ｂと折返し端縁４ａとの係合が外れるおそれはない。
【００２２】
次に、フィルター５の掃除などにより整流板４を取り外す必要が生じた際には、キックばね９の付勢力に抗して、操作レバー８ａを下方に押し下げ、回動部材８を反時計回りに回動させれば良く、このことで回動部材８の切欠部８ｂが、折返し端縁４ａの外側（図２において後側）へと移動し、その係合状態が解除されるので、前端の支持を失った整流板４は、後端の掛支金具１８を支点として回動し、このことでフード２の下面が開放され、フィルター５の清掃が可能となるものである。また、整流板４自体を清掃などのため、取り外す場合は、その後端を持ち上げて、掛支ピン４ｂと掛支金具１８との係合を外せば良い。
【００２３】
なお、上述した操作レバー８ａの押し下げの際、この操作レバー８ａは、整流板４の上側に位置しているので、必然的に手が整流板４の下方に位置し、手で整流板４を押えた状態で、親指などを用いてこの操作レバー８ａを操作することとなる。よって、整流板４の前側が不用意に落下回動することによる不慮の事故が未然に防止されるものである。
【００２４】
以上のようにして本発明のレンジフードファン１では、整流板４が不用意に落下しないように確実にフード２内の所定位置に掛支保持されるにもかかわらず、必要な際には、容易に取り外すことができ、しかもその際の事故も生じ難い構造になっている。
【００２５】
また、上記のようにして取り外した整流板４を所定の位置にセットするには、まず、整流板４の後端を回動可能に掛支金具１８に係合させ、その後、前側を上方に押し上げれば良く、このことで、整流板４の前部上側に設けられた折返し端縁４ａの内端が、係止具６の回動部材８の下端に設けられた傾斜面８ｅと当接し、両者の迫り合いによって、回動部材８がキックばね９の付勢力に抗して反時計回りに回動され、やがて、切欠部８ｂが設けられた位置で、元の状態に復帰することにより、切欠部８ｂが折返し端縁４ａに嵌まり込み、整流板４が係止保持されるようになっている。
【００２６】
以上のようにして本発明のレンジフードファン１では、整流板４の所定位置へのセットも容易、確実かつ迅速になされるものである。
【図面の簡単な説明】
【００２７】
【図１】本発明に係るレンジフードファンの実施形態を示した斜視図である。
【図２】図１の要部の拡大断面図である。
【図３】係止具の側面図である。
【図４】従来のレンジフードファンの整流板開放状態の斜視図である。
【図５】図４に示したレンジフードファンの整流板取付状態の斜視図である。
【符号の説明】
【００２８】
１  レンジフードファン
２  フード
２ａ  吸込口
３  本体
４  整流板
４ａ  折返し端縁
５  フィルター
６  係止具
７  フレーム
８  回動部材
８ａ  操作レバー
８ｂ  切欠部
９  キックばね
【図１】
2005155957.tif 000003
【図２】
2005155957.tif 000004
【図３】
2005155957.tif 000005
【図４】
2005155957.tif 000006
【図５】
2005155957.tif 000007